(57)【要約】【課題】補給タンクの遊技島からの分離移動の容易化を図る。【解決手段】パチンコ遊技島の各遊技機から外れ玉として排除されるパチンコ玉を回収樋を介して回収タンクに回収し、その回収されたパチンコ玉を揚上研磨機により揚上しながら研磨して補給タンクに放出して一旦収容し、その補給タンクから補給樋を介して各遊技機に補給し、補給タンクから溢出するパチンコ玉を回収タンクに回収する短絡路を有するパチンコ玉リサイクル装置において、補給タンクから溢出したパチンコ玉が短絡路の上部まで溜まった場合に、その溜まったパチンコ玉の圧力により作動されて出力する満杯検知器を補給タンクに設け、その満杯検知器の出力に基づいて揚上研磨機の稼働を中止するようにした。【選択図】　　　図１
2004073744.tif 000002
【特許請求の範囲】
【請求項１】
パチンコ遊技島の各遊技機から外れ玉として排除されるパチンコ玉を回収樋を介して回収タンクに回収し、その回収されたパチンコ玉を揚上研磨機により揚上しながら研磨して補給タンクに排出して一旦収容し、その補給タンクから補給樋を介して各遊技機に補給し、前記揚上研磨機から排出された際に前記補給タンクから溢出するパチンコ玉を前記回収タンクに回収する短絡路を有するパチンコ玉リサイクル装置において、
前記補給タンクには、前記補給タンクから溢出したパチンコ玉が短絡路の上部まで溜まった場合に、その溜まったパチンコ玉の圧力により作動されて出力する満杯検知器を設け、その満杯検知器の出力に基づいて前記揚上研磨機の稼働を中止するようにしたことを特徴とするパチンコ玉リサイクル装置。
【発明の詳細な説明】
【０００１】
【発明の属する技術分野】
本発明は、パチンコ遊技島におけるパチンコ玉リサイクル装置に関する。
【０００２】
【従来の技術】
一般に、パチンコ遊技島においては、各遊技機から外れ玉として排除されるパチンコ玉を回収樋を介して下位に設けた回収タンクに回収し、その回収されたパチンコ玉を揚上研磨機により揚上しながら研磨して上位に設けた補給タンクに排出して一旦収容し、その補給タンクから補給樋を介して各遊技機に補給するパチンコ玉リサイクル装置が用いられているが、その補給タンクには、前記揚上研磨機から排出された際に補給タンクから溢出するパチンコ玉を前記回収タンクに直接回収する短絡路が設けられているのが通例である。
【０００３】
ところで、リサイクル装置内を循環されるパチンコ玉の総数は、入賞玉の排出、外部からの補給などにより、時々刻々変化するので、補給タンクから各遊技機への補給数よりも回収タンクへの回収数が著しく多くなる場合があり、この場合は、補給タンクから溢出したパチンコ玉が短絡路に詰まることもあり得る。このような場合は、揚上研磨機の稼働を直ちに中止する必要があるので、補給タンクがパチンコ玉で満杯になった時はこれを検知する必要がある。
【０００４】
従来は、揚上研磨機から補給タンクに排出されたパチンコ玉を受け止め、補給樋方向に誘導する誘導路の上部に満杯検知器を設けていた。
【０００５】
上記満杯検知器の設置例を図２以下の図面に基づいて具体的に説明する。図２はパチンコ玉リサイクル装置の中の回収タンク、揚上研磨機及び補給タンクの部分を示す正面図、図３は同じく側面図、図４は図３のＸ−Ｘ線断面図である。
図２，３において、Ａは揚上研磨機であり、フレーム１の下部に設けられた駆動プーリ２とフレーム１の上部に設けられた従動プーリ３の間に中間のテンションプーリ４ａ〜４ｃを介して無端ベルトからなる搬送ベルト５を巻回して張設し、駆動プーリ２の軸上に固着したプーリ６と、フレーム１の下部に設けられたモータ７の回転軸上に固着したプーリ８の間に伝動ベルト９を巻回して、駆動プーリ２に回転力を与えるための駆動手段を備え、フレーム１の正面側、すなわち、搬送ベルト５の上昇面側に研磨布（不図示）を保持し、かつ、その研磨布にパチンコ玉を一列ずつ案内するための溝を形成するレール体（不図示）を取付けた扉１０を開閉自在に取付けて構成されており、フレーム１の下部には、各遊戯機の下方を回収用樋を介して移送されてくるパチンコ玉を受入れる回収タンクＢが設けられ、その回収タンクから、揚上研磨機Ａの回転される搬送ベルト５の下端部と固定されている研磨布の間に流し込まれ、その搬送ベルトにより揚上されながら研磨布により研磨されて、搬送ベルトの上端部と研磨布の上端部との間から排出されるパチンコ玉は、フレーム１の上部に設けられたシュート１１から補給タンクＣに向けて放出される。
【０００６】
補給ンタクＣの中には、図４に示すように、中央に分水嶺１２ａを有する分配板１２が設けられて、シュート１１から放出されたパチンコ玉は、この分配板１２により左右両側に分配されて、分配板の左右両側に設けられた誘導路１３によりそれぞれ左右両側に並設されている遊技機の上部方向に傾斜して延長されている補給樋（図示省略）に誘導されるようになっている。また、補給タンクＣの中には、分配板１２の手前側、すなわち、揚上研磨機に近い側には、補給樋及び誘導路１３にパチンコ玉が分配板１２の上面よりも高くなる程溜まった場合に、補給タンクから溢出させるための落下口１４が設けられ、その落下口と回収タンクＢの間を繋ぐ短絡路１５が設けられている。この短絡路１５は、通常、パチンコ玉落下の際の騒音及び衝撃緩和のため、弾性蛇腹管で構成されている。短絡路１５は、その下端部が回収タンクＢの上流側に設けられた予備タンク（不図示）に開口されている場合もある。
そして、従来は、補給タンクＣ内にパチンコ玉が満杯になったことを検知するため、図４に示すように、揚上研磨機Ａのシュート１１に満杯検知器Ｓを取付けていた。また、満杯検知機Ｓの出力は線材等でパチンコ遊技島に設置された制御装置（不図示）にコネクタ等で接続されており、揚上研磨機を移動メンテナンスする際は、制御部から分離する必要があった。
【０００７】
【発明が解決しようとする課題】
上記のように、従来は、補給タンクの満杯検知のために、満杯検知機Ｓを揚上研磨機の最上位に取付けていたので、揚上研磨機をメンテナンスする際は、制御部から切り離して移動しようとしても、満杯検知器Ｓを天井や壁などにぶつけて破損故障させる恐れがあるので、満杯検知器Ｓを予め取外す必要があった。従って、メンテナンス等の際に手間がかかった。また、満杯検知器の取外しは、落下事故につながる恐れもあり危険な作業を伴うという問題があった。
【０００８】
本発明は、上記の点に鑑みてなされたものであり、その課題は、満杯検知器の取付け位置を改良することにより、揚上研磨機の遊技島からの分離移動を容易にすることにある。
【０００９】
【課題を解決するための手段】
上記課題を解決するため、本発明は、パチンコ遊技島の各遊技機から外れ玉として排除されるパチンコ玉を回収樋を介して回収タンクに回収し、その回収されたパチンコ玉を揚上研磨機により揚上しながら研磨して補給タンクに排出して一旦収容し、その補給タンクから補給樋を介して各遊技機に補給し、前記揚上研磨機から排出された際に補給タンクから溢出するパチンコ玉を前記回収タンクに回収する短絡路を有するパチンコ玉リサイクル装置において、前記補給タンクには、前記補給タンクから溢出したパチンコ玉が短絡路の上部まで溜まった場合に、その溜まったパチンコ玉の圧力により作動されて出力する満杯検知器を設け、その満杯検知器の出力に基づいて揚上研磨機の稼働を中止するようにしたことを特徴としている。
上記構成により、補給タンクから溢出したパチンコ玉が短絡路の上部まで溜まった時に、パチンコ玉の圧力により満杯検知器が作動されて出力し、揚上研磨機の稼働が中止される。満杯検知器を補給タンクに取付けたので、揚上研磨機をメンテナンスのために遊戯島から分離移動する時は、満杯検知器の取外しが必要でなくなり、また、故障のおそれもなくなった。
【００１０】
【発明の実施の形態】
次に、本発明の実施の形態について図面を参照して説明する。
図１は、補給タンクの正面中央縦断面図である。
補給タンクＣ内に、中央に分水嶺を有して揚上研磨機のシュートから放出されるパチンコ玉を、島の左右に分配する分配板１２が設けられている点は、従来の補給タンクと異ならない。また、その分配板の分水嶺に近接する位置に溢出用落下口１４を有する点も従来と同様である。本発明においては、その落下口１４を形成する口金１６の側面に開口１６ａが形成され、その開口の外側に、満杯検知器ＳＮが取付けられている。満杯検知器ＳＮは、ハウジング１７と、そのハウジング内に回動自在に設けられた作動部材１８と、ハウジング１７の背面側に取付けられたマイクロスイッチ１９とから構成されている。
【００１１】
ハウジング１７内に取付けられた作動部材１８は、開口１６ａを塞ぐ大きさと形状の板状に形成され、上部に背面側に突出する作動部１８１を有し、ハウジング１７の下部とその作動部材１８の下部とに形成されたナックルにピンを挿通してなるヒンジ１８２により、回動自在に保持されている。
ハウジング１７の作動部材１８の作動部１８１に対応する位置には孔１７１が形成され、ハウジング１７の背面にマイクロスイッチ１９が、そのアクチュエータ１９１が前記孔１７１の中に突出するように取付けられている。そして、作動部材１８がハウジング１７の背面側に回動されたときは、作動部１８１がマイクロスイッチ１９のアクチュエータ１９１を押してマイクロスイッチ１９から出力させるようになっている。
【００１２】
上記満杯検知器ＳＮにより、揚上研磨機のシュートから排出されるパチンコ玉が補給タンク内で満杯になると、落下口１４から短絡路１５内に溢出する。揚上研磨機の揚上能力を越える数量のパチンコ玉が回収タンクＣに満杯になった時は、短絡路１５の下端部からパチンコ玉が流出しなくなって短絡路１５内に溜まり、そのパチンコ玉の最上部が短絡路の上端部（口金１６内）まで達し場合は、そのパチンコ玉の圧力が満杯検知器ＳＮの作動部材１８をヒンジ１８２回りに回動させ、作動部１８１がマイクロスイッチ１９のアクチュエータ１９１を作動させる。その結果、マイクロスイッチ１９がＯＮして出力し、その出力信号が制御部（不図示）に与えられて、揚上研磨機の稼働が停止される。
【００１３】
短絡路１５の下端部が回収タンクに結合されている場合は、回収タンク内のパチンコ玉を予備タンクに移し替えると、短絡路１５の下端部からその中のパチンコ玉が順次落下して回収タンク内に流出するので、また、短絡路１５の下端部が予備タンクに結合されている場合は、その予備タンク内のパチンコ玉を回収タンクに移動すると、短絡路１５の下端部からその中のパチンコ玉が順次落下して予備タンク内に流出するので、満杯検知器ＳＮの作動部材１８はパチンコ玉の圧力を受けなくなる。従って、マイクロスイッチ１９がＯＦＦするため、揚上研磨機が再起動される。そして、いずれかの遊技機においてパチンコ玉が使用されて、補給樋のパチンコ玉が流れると、補給タンク内のパチンコ玉の数量も減り、パチンコ玉リサイクル装置が正常に稼働する。
【００１４】
上記実施の形態における満杯検知器のマイクロスイッチ１９は、センサの単なる一例に過ぎない。これに代えて、作動部材１８に設けた遮光部材又は光反射部材によりＯＮ／ＯＦＦされる透過型又は反射型の光電スイッチを用いることもできる。
【００１５】
【発明の効果】
上述のように、本発明によれば、満杯検知器は補給タンク内に取付けられているので、揚上研磨機のメンテナンス等のために遊技島から分離移動する際に、満杯検知器を取外す必要がないから、揚上研磨機の遊技島からの分離移動が容易にできる。また、揚上研磨機の移動中に他物にぶつかる可能性もないので、満杯検知器の故障が激減する。
【図面の簡単な説明】
【図１】補給タンクの正面中央の縦断面図。
【図２】パチンコ玉リサイクル装置の中の回収タンク、揚上研磨機及び補給タンクの部分を示す正面図。
【図３】同じく側面図。
【図４】図３のＸ−Ｘ線断面図。
【符号の説明】
Ｃ　　　補給タンク
１４　　溢出用落下口
１５　　短絡路
ＳＮ　　満杯検知器
１６ａ　孔
１７　　ハウジング
１７１　孔
１８　　作動部材
１８１　作動部
１９　　マイクロスイッチ
１９１　アクチュエータ
【図１】
2004073744.tif 000003
【図２】
2004073744.tif 000004
【図３】
2004073744.tif 000005
【図４】
2004073744.tif 000006